Podtech/llm-jp-corpus-v4-ja_patent huggingface dataset:
(57)【要約】      （修正有）【課題】何に使用されている釘かを一般の人が分かる様に、鉄道枕木用のレールスパイキに、レール模型と鉄道模型を取り付け、落下しない様にしたレールスパイキを提供する。【解決手段】レールスパイキの上に、レール模型と鉄道模型を載せ、ねじ、接着剤、溶接又は磁石でお互いを固定する。【選択図】図１
0003207634.tif 000002
【実用新案登録請求の範囲】
【請求項１】
レールスパイキに、レール模型と鉄道模型の蒸気機関車、デーゼル機関車又は電気機関車を載せ、鉄道模型とレール模型をねじ、接着剤、溶接又はマグネットで取り付け、それをレールスパイキの上に接着剤、溶接又はマグネットで取り付けた、鉄道模型付きレールスパイキ。
【考案の詳細な説明】
【技術分野】
【０００１】本考案は、レールスパイキにレール模型を載せ、その上に鉄道模型を載せて、レール模型と鉄道模型をねじ、接着剤、溶接又はマグネットで取り付け、それをレールスパイキに接着剤、溶接又はマグネットで固定する。
【背景技術】
【０００２】一般的なレールスパイキは、鉄道レールの枕木を固定する釘として用いられるが、このレールスパイキを卓上の鉄道模型付きレールスパイキにする。
【考案の概要】
【０００３】レールスパイキを飾るのに、何に使用されている釘か、一般の人に分かる様にレールスパイキにレール模型と鉄道車両模型を載せ、卓上の鉄道車両模型付きレールスパイキにする。
【考案が解決しようとする課題】
【０００４】レールスパイキに、いかにレールと鉄道模型を載せ落下しない様に取り付けるか。
【課題を解決する為の手段】
【０００５】レールスパイキに、レール模型と鉄道模型を接着剤、溶接又はマグネットで取り付ける。
【考案の効果】
【０００６】本考案の効果は、レールスパイキの上にレール模型と鉄道模型を取り付けた、飾りレールスパイキ。
【考案を実施するための形態】
【０００７】レールスパイキ上にレール模型と鉄道模型を取り付け、飾り鉄道車両付きレールスパイキにする。
【実施例】
【０００８】以下、添付図面に従って実施例を説明する。  図面１は、レールスパイキの上にレール模型と鉄道模型を取り付けた鉄道模型付きレールスパイキの全体図。
図面２は、鉄道模型。  図面３は、レール模型。  図面４は、レールスパイキ。
【図面の簡単な説明】
【０００９】
【図１】鉄道模型付きレールスパイキの全体図。
【図２】鉄道模型
【図３】レール、ねじ、マグネット
【図４】レールスパイキ、ネームプレート
【符号の説明】
【００１０】１    鉄道模型付きレールスパイキ
２    鉄道模型
３    レール模型
４    鉄道模型とレール留めねじ
５    レールとレールスパイキ留めマグネット
６    レールスパイキ
７    ネームプレート
【図１】
0003207634.tif 000003
【図２】
0003207634.tif 000004
【図３】
0003207634.tif 000005
【図４】
0003207634.tif 000006
(57)【要約】      （修正有）【課題】鍋や釜で煮炊きをした調理品を手間なく冷却保存することができる冷却機能付き電気圧力鍋を提供する。【解決手段】断熱層１を含む加熱のためのホルダー部分に穴を設け、そこにペルチェ素子４と放熱板５を張り合わせたものをはめ込み、その外側にファン６を取り付けた。また、ホルダー部分に密着して取り付けられた電熱線の両端部分に取り付けた熱による抵抗値の違いを検出するセンサーにより冷却スイッチが作動するようにした。小型の冷温庫同様にペルチェ素子を利用することでそのまま冷却保存でき、また電熱線にとりつけられた温度による抵抗値の違いを知るセンサーにより、一定温度より下がると自動的に冷却装置を働かせることで、腐敗に適した温度の時間を極力短くすることができる。【選択図】図１
0003207635.tif 000002
【実用新案登録請求の範囲】
【請求項１】
断熱層を含む加熱のためのホルダー部分に穴を設け、そこにペルチェ素子と放熱板を張り合わせたものをはめ込み、その外側にファンを取り付けた冷却機能付き電気圧力鍋
【請求項２】
ホルダー部分に密着して取り付けられた電熱線の両端部分に取り付けた熱による抵抗値の違いを検出するセンサーにより冷却スイッチが作動するようにした冷却機能付き電気圧力鍋
【考案の詳細な説明】
【技術分野】
【０００１】  鍋や釜で煮炊きをした調理品を手間なく冷却保存する。
【背景技術】
【０００２】  従来は、鍋や釜で煮炊きをした調理品を冷却保存するためには、広い空間がある冷蔵室があれば、そこに鍋ごと入れるか、冷蔵室に物が入っている場合調理品を小分けにして冷蔵室の隙間に入れる。
すなわち、煮炊きしたものを冷やすための技術を持ったものは、冷蔵庫、冷凍庫に頼るしかないのが現状である。
【考案の概要】
【考案が解決しようとする課題】
【０００３】  従来の鍋、釜、圧力鍋等には、加熱や保温の設備は、施されているものもあるが、それ自体に冷却機能を持たないために、他の冷却装置を使って冷却保存をしなければならない状態にある。
【課題を解決する手段】
【０００４】  本考案物は、従来品である圧力鍋に施してある加熱と保温の装置に加え、冷却機能を持たせることにある。また、電熱線に熱抵抗を利用したセンサーを取り付けることで、煮炊きしたものが一定温度以下になると自動的に冷却装置へのスイッチが入るようにすることで、より簡単に腐敗を防ぐことができる。
【考案の効果】
【０００５】  夏の暑い日などは、煮炊きしたものを鍋の中にそのまま入れておくと腐敗してしまう。現在の電気圧力鍋には、保温の装置が備わっているので高温に保つことにより腐敗を防ぐことはできるが、煮炊きしたものの熱や水分が蒸発による劣化がおこることが考えられる。
冷却による腐敗防止であれば、冷蔵庫に入れるのと同じ効果があるので劣化を防ぐことができる。
また、加熱のための電熱線が鍋本体とくっ付いており、熱による電気抵抗の違いをとらえるセンサーで冷覚装置が稼働するようにすることで、腐敗に適した温度に煮炊きした食物をおく時間をできるだけ短くして冷却保存することができる。
【図面の簡単な説明】
【０００６】
【図１】  冷却機能付き電気圧力鍋断面図
【符号の説明】
【０００７】  １、断熱層              ２、鍋本体
３、電熱装置            ４、ペルチェ素子
５、放熱板              ６、ファン
７、鍋ぶた              ８、調圧部
【図１】
0003207635.tif 000003
(57)【要約】      （修正有）【課題】防曇機能を具有するダイビングマスクの構造を提供する。【解決手段】ダイビングマスク１は少なくとも一つのレンズ２を具有し、且つ各一つのレンズ２の内側にいずれも一つの防曇膜３を対応して設置する。潜水時に、該ダイビングマスク１の内外の温度差により、該レンズ２が曇る現象を避け、長時間ダイバーにクリアで透き通る潜水ビジュアル効果を提供する。【選択図】図１
0003207699.tif 000002
【実用新案登録請求の範囲】
【請求項１】
少なくとも一つのレンズを具有するダイビングマスクを含み、
且つ該レンズの内側に防曇膜を設置し、
該防曇膜は主に水分子を吸着する親水性の基材で作られた透視できる薄膜を使用する防曇機能を具有するダイビングマスクの構造。
【考案の詳細な説明】
【技術分野】
【０００１】
本考案は一種の防曇機能のダイビングマスクの構造に関し、特にレンズが曇るのを防止できるダイビングマスクの構造に関する。
【背景技術】
【０００２】
目下ダイバーが岸辺でシュノーケリング或いはダイビングする際、着用するダイビングマスクは、顔の体温及び水温に明らかな温度差がある場合、ダイビングマスク内に霧状の水分子が生じるため、ダイバーが潜水時に水中の景色と物を観察する際のビジュアル効果を遮蔽或いは影響を及ぼすことになる。一般的にダイバーの多くはダイビングマスクのレンズに薬剤を吹き付ける、或いは薬を浸潤、或いは唾をレンズに塗布することで曇りを取り除く。しかし、これら従来の方法では、短い時間しか曇りを取ることができないため、ダイバーは絶えず曇りを取り除く動作を繰り返さなければならず、長い間ダイバーがシュノーケリング或いはダイビング時に不便に感じていたため、改善が必要であった。
【先行技術文献】
【特許文献】
【０００３】
【特許文献１】特表2015-511844号公報
【考案の概要】
【考案が解決しようとする課題】
【０００４】
前記公知構造の欠点を解決するため、本考案はダイビングマスクの各レンズにそれぞれ防曇膜を設置することで、潜水時にダイビングマスクの内外の温度差によりレンズが曇るのを避け、更に潜水時、長時間ダイバーにクリアで透き通るビジュアル効果を提供する防曇機能を具有するダイビングマスクの構造を提供することを主な課題とする。
【課題を解決するための手段】
【０００５】
前記課題を解決するために、本考案は三つのレンズを具有するダイビングマスクを含み、且つ各一つのレンズの内側にいずれも一つの防曇膜を対応して設置する防曇機能を具有するダイビングマスクの構造である。
【考案の効果】
【０００６】
本考案はダイビングマスクの各レンズにそれぞれ防曇膜を設置することを利用し、潜水時に、該ダイビングマスクの内外の温度差により、該レンズが曇る現象を避け、長時間ダイバーにクリアで透き通る潜水ビジュアル効果を提供する。
【図面の簡単な説明】
【０００７】
【図１】本考案の部品分解図である。
【図２】本考案の組合図である。
【考案を実施するための形態】
【０００８】
以下、本考案の構造と特徴および効果を、最良実施例と図面を参照しながら詳細に説明する。
【実施例】
【０００９】
実施例一、図１及び図２に示すように、本考案の防曇機能を具有するダイビングマスクの構造は、三つのレンズを具有するダイビングマスク１を含み、且つ各一つのレンズ２の内側にいずれも一つの防曇膜３を対応して設置する。本考案は該ダイビングマスク１の各一つの該レンズ２にそれぞれ該防曇膜３を設置することを利用し、潜水時にダイビングマスクの内外の温度差によりレンズが曇る現象を避け、ダイバーに長時間のクリアで透き通る潜水のビジュアル効果を提供する。
【００１０】
該防曇膜３は主に水分子を吸着する親水性の基材で作られた透視できる薄膜を使用している。よって、ダイバーが潜水時に、該ダイビングマスク１の内外の温度差により該レンズ２に生じる霧状の水分子は、素早く薄膜によって吸収されるため、ダイビングマスク１内に霧状の水気が形成せず、ダイバーが該ダイビングマスク１を通じて水中の景色と物を観察するビジュアル効果を遮蔽或いは影響することがない。
【００１１】
本考案のダイビングマスク１の各一つのレンズにそれぞれ防曇膜３を設置する構造は、ニーズに基づき、鉱員が装着する作業ゴーグル、溶接員が装着する作業ゴーグル、製造業生産ラインの作業スタッフが装着する作業めがね、及びその他の工業用めがね、つまり各種の作業ゴーグル或いは作業めがねの各一つのレンズ２の内側にいずれも一つの防曇膜３を対応して設置する。同様にそれにより、各種の作業ゴーグル或いは作業めがねを装着する際、レンズの内外の温度差により、該レンズが曇る現象を避けるため、様々な作業スタッフの作業効率は高まり、長時間クリアで透き通る作業ビジュアル効果を保持する。
【００１２】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【符号の説明】
【００１３】
１  ダイビングマスク
２  レンズ
３  防曇膜
【図１】
0003207699.tif 000003
【図２】
0003207699.tif 000004
(57)【要約】      （修正有）【課題】シュミレーション教材として用いることにより、実験動物への負荷を軽減でき、さらに実際に近い感触で犬の乳腺腫瘍を再現することで、臨床現場での触診技術向上を図ることができるイヌ乳腺腫瘍触診モデルを提供する。【解決手段】乳腺周辺にはウレタンａを用い、現物に近い皮膚の弾力を再現した。さらに乳腺様のウレタンａの前胸部乳頭、後胸部乳頭、全腹部乳頭、後腹部乳頭、鼠径部乳頭の計５箇所いずれかに、数個、３〜１００ミリメートル程度の乳腺腫瘍様の紙粘土ｂを埋め込んだことを特徴とする。【選択図】図１
0003207618.tif 000002
【実用新案登録請求の範囲】
【請求項１】
イヌの乳腺を再現したモデルで、前胸部乳頭、後胸部乳頭、全腹部乳頭、後腹部乳頭、鼠径部乳頭の計５箇所いずれかに、数個、３〜１００ミリメートル程度の乳腺腫瘍様の紙粘土を有している。
【考案の詳細な説明】
【技術分野】
【０００１】  本開発は腫瘍が認められるイヌの乳腺を再現したモデルである。
【背景技術】
【０００２】  動物医療の現場には実験動物が用いられてきているが、実際に乳腺腫瘍を有した動物を用いることは現実的ではない。しかし実際の臨床現場では腫瘍を判別する章句新技術が必要になるため、シュミレーションモデルにおいてイヌの乳腺腫瘍触診モデルを作成した。
【先行技術文献】
【０００３】
【特許文献１】  心臓モデル特開２０１３−０２９８２０
【特許文献２】  乳がん啓発用模型実登３１３４１４５
【特許文献３】  イヌ・ネコの肛門モデル  実願  ２０１３−４３０９
【特許文献４】  イヌ・ネコの新生児モデル
【特許文献５】  イヌ・ネコの出産モデル
【考案の概要】
【考案が解決しようとする課題】
【０００４】  獣医療に属するものは健常な実験動物を用いた実習が一般的であった。シュミレーション教材として本開発を用いることにより、実験動物への負荷が軽減される。さらに実際に近い感触で犬の乳腺腫瘍を再現することで、臨床現場での触診技術向上を図るための犬の乳腺腫瘍触診モデルを提供。
【課題を解決するための手段】
【０００５】  乳腺周辺にはウレタンを用い、現物に近い皮膚の弾力を再現した。さらにウレタンの中に紙粘土を埋め込み腫瘍を疑似しているイヌ乳腺腫瘍触診モデルを提供する。
【考案の効果】
【０００６】    獣医師・動物看護師の教育の場において、実際に近い感覚でのイヌの乳腺腫瘍の触診が可能である。
【図面の簡単な説明】
【０００７】
【図１】イヌ乳腺腫瘍触診モデル（上）
【図２】イヌ乳腺腫瘍触診モデル（横）
【図３】イヌ乳腺腫瘍触診モデル（縦）
【考案を実施するための形態】
【０００８】  本発明について詳細に説明する。本発明は、飼育動物であるイヌの乳腺（ａ）及び、乳腺腫瘍（ｂ）の感触、色、再現した犬の乳腺モデルである。
【実施例１】
【０００９】  雌イヌの乳腺を模した型を作成し、適切な感触かつ着色したウレタンを注入し開発した触診モデルである。
【実地例２】
【００１０】  触診モデルは、乳腺様のウレタン（ａ）に、乳腺腫瘍模した紙粘土（ｂ）を埋め込んでいる。
【符号の説明】
【００１１】  ａ  乳腺を模したウレタン
ｂ  乳腺腫瘍に見立て埋め込まれた３〜１００ｍｍ程度の紙粘土
【図１】
0003207618.tif 000003
【図２】
0003207618.tif 000004
【図３】
0003207618.tif 000005
【手続補正書】
【提出日】平成28年8月30日(2016.8.30)
【手続補正１】
【補正対象書類名】実用新案登録請求の範囲
【補正対象項目名】全文
【補正方法】変更
【補正の内容】
【実用新案登録請求の範囲】
【請求項１】
イヌ乳腺腫瘍触診モデルにおいて、乳腺様のウレタンの前胸部乳頭、後胸部乳頭、全腹部乳頭、後腹部乳頭、鼠径部乳頭の計５箇所いずれかに、数個、３〜１００ミリメートル程度の乳腺腫瘍様の紙粘土を埋め込んだことを特徴とするイヌ乳腺腫瘍触診モデル。
(57)【要約】      （修正有）【課題】土付きの植物を簡単に清潔に床や棚、壁に飾れる花器を提供する。【解決手段】天然木に穴を開け、そこに土付きの植物を植えられるようにする。穴の底は平らではなく山形を幾つも作っておく（表面積を多くして水分の吸水性、保水性を良くするのと同時に植物の根を絡みやすくする）。外側には防水塗装を施す。上部廻りは防腐塗装をする。さらに側面には壁掛け用金具を付ける。花器自体が水分を吸収するので水受けの皿は不要である。土が下から流れ出す心配もなく花器がいつまでもきれいで、清潔である。床に直に置いても棚に飾っても室内を汚さない。特に金具付きで簡単に壁に掛けることができる。【選択図】図１
0003207614.tif 000002
【実用新案登録請求の範囲】
【請求項１】
天然木（角材または丸材）による、土付きの花・植物が床や棚、壁に簡単に飾れる花器。
【考案の詳細な説明】
【技術分野】
【０００１】  本考案は、土付きの花、観葉植物でも清潔に簡単に床や棚、壁に飾ることができる花器である。
【背景技術】
【０００２】従来は、このようにものはなかった。
【先行技術文献】
【０００３】
【特許文献】
【特許文献】特開２００７−２５９８３３
【考案の概要】
【考案が解決しようとする課題】
【０００４】  従来土の付いた花や植物を室内に飾るには、瀬戸物の鉢に水受けの皿を置いていたが、水やりの度に土が下からしみ出してきて、見た目もきれいでなく室内を汚す事もあった。又壁に飾るには手入れや安全面で難しかった。なお、従来木の切り株等に穴を開け植物を植えたものはあったが、居室および居室の壁に清潔に飾れるものはなかった。本考案は、以上のような従来の欠点に鑑み、土付き植物が簡単に清潔に床や棚、壁に飾れる花器を提供することを目的としている。
【課題を解決するための手段】
【０００５】  本考案は天然木の角材、丸材に穴を開け、そこに土付きの花や観葉植物を植えられるようにする。穴の底は平らではなく山形を幾つも作っておく（表面積を多くして水分の吸水性、保水性を良くするのと同時に植物の根を絡みやすくする）。また、側面には防水塗装を施す。上部廻りは防腐加工をする。さらに側面には壁掛け用金具を付けることによって問題を解決している。
Ｓ
【考案の効果】
【０００６】以上の説明から明らかなように、本考案にあっては次に列挙する効果が得られる。
（１）水受け皿が必要でかつ壁に飾るには危険性の高い陶器等の従来の花器、また居室や壁には飾れない木の切り株等ではなく、きれいに整形された木目も美しい天然木の花器であり、花器自体が水分を吸収するので水受けの皿は不要である。【０００７】（２）前記（１）によって土が下から流れ出す心配もなく花器がいつまでもきれいで、清潔である。【０００８】（３）前記（１）（２）によって床に直に置いても棚に飾っても室内を汚さない。また金具で簡単にかつ安全に壁に掛けることができる。【０００９】（４）前記（１）（２）（３）によって、天然木の花器のため檜科の木を使えばヒノキチオールが室内に香りアロマ効果も期待できる。
【図面の簡単な説明】
【００１０】
【図１】本考案の立体図である。
【図２】本考案の断面図である。
【考案を実施をするための最良の形態】
【００１１】以下、添付図面に従って本考案の一実施例を説明する。
【００１２】天然木の角材または丸材のに穴を開ける。
【００１３】穴の底は平らではなく山形の突起をつくる。（表面積を多くして水分の吸水性、保水性を良くするのと同時に植物の根を絡みやすくする）。
【００１４】外壁には防水塗装を施す。上部廻りは防腐加工をする。
【００１５】側面には壁掛け用金具を付ける。
【符号の説明】１  本体
２  植物を植える穴
３  壁掛用金具
４  植物
５  山形突起（表面積を多くして余分な水を吸収する。また植物の根を絡みやすくする。）
６  上部（防腐塗装する）
７  側面（防水塗装する）
８  底部（防水塗装する）
【図１】
0003207614.tif 000003
【図２】
0003207614.tif 000004
【手続補正書】
【提出日】平成28年8月9日(2016.8.9)
【手続補正１】
【補正対象書類名】実用新案登録請求の範囲
【補正対象項目名】全文
【補正方法】変更
【補正の内容】
【実用新案登録請求の範囲】
【請求項１】
天然木の角材または丸材の表面から一定の深さの穴をあけ、当該穴の底には山形の突起が形成されていることを特徴とする花器。
(57)【要約】      （修正有）【課題】傘掛けや傘立てを使わずにテーブルへの固定が容易な傘の持ち手を提供する。【解決手段】フック状の傘の持ち手先端部に吸盤を設ける。テーブルから傘のずり落ちを防ぐ他、落下による傘の破損や水滴の飛散を防ぐことができる。【選択図】図１
0003207615.tif 000002
【実用新案登録請求の範囲】
【請求項１】
吸盤を介して平面の吸着力を用い、傘のずり落ちを防ぐ他、落下による傘の破損や水滴の飛散を防ぐ
【考案の詳細な説明】
【技術分野】
【０００１】本考案は、傘掛けや傘立てを使わずにテーブルへの固定が容易な傘の持ち手に関するものである。
【背景技術】
【０００２】飲食店の店内へ傘を持ち込む客が多く、テーブルに傘の持ち手を掛けると滑ってずり落ちてしまうため【０００３】店内の座席には傘を立てて置けるスペースはない【０００４】この改善策として吸盤によるテーブルへ固定する方法がある
【考案の概要】
【考案が解決しようとする課題】
【０００５】解決する問題点は傘をテーブルへ掛けておくとずり落ちてしまうことにある
【課題を解決するための手段】
【０００６】本考案は、傘がテーブルからずり落ちてしまうのを防ぐためにある
【考案の効果】
【０００７】本考案の吸盤付き傘の持ち手はテーブルからのずり落ちを防ぐ他、傘が床に落ちて破損や水滴が飛散するのを防ぐ事にある
【図面の簡単な説明】
【０００８】
【図１】は「吸盤付き傘の持ち手」の実施方法を示した説明図である。（実施例１）
【図２】は「吸盤付き傘の持ち手」の断面を示した説明図であるる
【考案を実施するための形態】
【０００９】傘の基本となる形態及び機能は失わずに、傘をテーブルからずり落ちにくさを実現
【実施例１】
【００１０】〔図２〕は、本考案の断面図であって、符号１は吸盤、２は持ち手である【００１１】〔図１〕の吸着位置のＰ点は、外部からの空気注入及び振動がない限り常に吸着しており、本考案の主体は傘のずり落ちにあるので構造、物理系の説明は省略する
【符号の説明】
【００１２】１  吸盤
２  傘の持ち手
３  テーブル
【図１】
0003207615.tif 000003
【図２】
0003207615.tif 000004
【手続補正書】
【提出日】平成28年8月26日(2016.8.26)
【手続補正１】
【補正対象書類名】実用新案登録請求の範囲
【補正対象項目名】全文
【補正方法】変更
【補正の内容】
【実用新案登録請求の範囲】
【請求項１】
フック状の傘の持ち手であり、フック状の傘の持ち手先端部に吸盤を介してテーブルから傘のずり落ちを防ぐ他、落下による傘の破損や水滴の飛散を防ぎ、テーブルに固定させる吸盤を設けたことを特徴とする傘の持ち手である。
(57)【要約】【課題】股部における縦溝の発生を防止した股部付き女性衣類及び食い込み防止片を提供する。【解決手段】下着または水着などの股部付きの女性衣類の本体１の股部３であって、女性陰部に接触する部分２の生地に、陰部への食い込みを防止する食い込み防止片４を生地と一体になるように接着または縫着により取り付ける。食い込み防止片４はテープ状のものであって、女性陰部に接触する部分２の生地の表面または裏面に間隔を置いて複数個、横方向または斜め方向または交差方向に配置する。【選択図】図１
0003207625.tif 000002
【実用新案登録請求の範囲】
【請求項１】
女性衣類本体の股部であって、女性陰部に接触する部分の生地に、陰部への食い込みを防止する食い込み防止片を生地と一体になるように接着または縫着により取り付けた股部付き女性衣類。
【請求項２】
前記食い込み防止片はテープ状のものであって、女性陰部に接触する部分の生地に間隔を置いて複数個、横方向または斜め方向または交差方向に配置した請求項１記載の股部付き女性衣類。
【請求項３】
前記食い込み防止片は、周辺にフリルを付けた請求項１または２記載の股部付き女性衣類。
【請求項４】
前記食い込み防止片は、女性陰部に接触する部分の生地の表面側または裏面側に取り付けた請求項１ないし３のいずれかに記載の股部付き女性衣類。
【請求項５】
女性衣類本体の股部であって、女性陰部に接触する部分の生地に加熱接着させる接着剤を塗布した食い込み防止片。
【考案の詳細な説明】
【技術分野】
【０００１】  本考案は、パンティ、ショーツ、アンダーショーツ、レオタード、スパッツ等の女性用下着類、または女性用水着等の股部付き女性衣類及び食い込み防止片に関する。
【背景技術】
【０００２】  一般に、女性用の下着類や水着等の股部付き衣類を着用した場合、衣類の股部が陰部に食い込み、小陰唇に沿う縦溝（われめ）が生地にできることがよくある。
このような股部の生地の縦溝の発生を防止するため、下着、水着等の衣類の内側に陰部に当てるパットも知られている。
【考案が解決しようとする課題】
【０００３】  女性が水着を着用した場合、あるいは下着を着用して写真撮影した場合、股部の生地が食い込んで縦溝が出ると、女性は恥ずかしい思いをする。これを防止するためのパットを使用するのは着用が面倒であるばかりでなく、むれが生じて不快かつ不衛生であるという欠点があった。
【０００４】  本考案は、上述の点に着目してなされたもので、股部における縦溝の発生を防止した股部付き女性衣類及び食い込み防止片を提供することを目的とする。
【課題を解決するための手段】
【０００５】  本考案に係る股部付き女性衣類は、女性衣類本体の股部であって、女性陰部に接触する部分の生地に、陰部への食い込みを防止する食い込み防止片を生地と一体になるように接着または縫着により取り付けたものである。
【０００６】  請求項２記載の股部付き女性衣類は、前記食い込み防止片はテープ状のものであって、女性陰部に接触する部分の生地に間隔を置いて複数個、横方向または斜め方向または交差方向に配置したものである。
【０００７】  請求項３記載の股部付き女性衣類は、前記テープ状の食い込み防止片は、周辺にフリルを付けたものである。
【０００８】  請求項４記載の前記食い込み防止片は、女性陰部に接触する部分の生地の表面側または裏面側に取り付けたものである。
【０００９】  本考案に係る食い込み防止片は、女性衣類本体の股部であって、女性陰部に接触する部分の生地に接着または縫着により取り付けるものである。
【考案の効果】
【００１０】  本考案によれば、下着や水着を着用した際に股部にできる縦溝を防止し、女性の羞恥心をなくすることができる。
【図面の簡単な説明】
【００１１】
【図１】股部付き女性衣類であるショーツの実施形態を示す正面図である。
【図２】図１のショーツの背面図である。
【図３】図１のＡ−Ａ線断面図である。
【考案を実施するための形態】
【００１２】  以下、図面を参照して本考案の実施形態について詳細に説明する
図１は、本考案の股部付き女性衣類としてショーツに適用した例であって、図１は正面図、図２は背面図、図３はＡ−Ａ線断面図である。
【００１３】  ショーツ本体１は、上部に下半身の入るゴムひも付きの開口部１ａ、下部に両脚の入る脚用開口部１ｂが形成されている。脚用開口部１ｂ、１ｂの間の股部３の前面である陰部接触部２及び背後の尻の下部にある股部後部３´に、本体１の生地に張りを付与する複数本のテープ状の食い込み防止片４を、間隔を置いて横向きに、縫製または接着により本体１の生地と一体化するように取りつけている。この食い込み防止片４は、本体１の生地より剛性があり、本体１の生地が左右方向から中心方向に寄ってしわを生じないようにするもので、例えば、ブラジャーに使用されている肩紐などのようにある程度剛性があるものが好ましいが、材質は限定されない。
【００１４】  なお、食い込み防止片４として、フリルなど装飾デザインを施したもの、生地に合わせた色彩のもの、横長楕円形などデザインを工夫したものを使用すると、衣類の見栄えを良くする効果がある。また、食い込み防止片４を図示のように股部２の表面側ではなく、裏面側に取り付けてもよく、そうすると外から食い込み防止片４が見えなくなり、特に人目にさらされる水着には好ましい。食い込み防止片４の使用本数は、股部３の生地の部分に食い込みによる縦溝が形成されない程度であれば任意の本数でよく、図示の本数に限定されない。
【００１５】  図示の実施形態では、食い込み防止片４を真横方向に取り付けた構成を示しているが、斜め方向でもよく、さらに斜め方向のテープを交差させた構成でもよい。また、股部付き女性衣類として、ショーツの例を示しているが、ショーツに限定されず、例えば、アンダーショーツ、レオタード、スパッツ等の女性用下着類、または女性用水着等、すべての股部付き女性衣類に適用可能である。
【００１６】  また、食い込み防止片４に裾上げテープと同様アイロンにより接着させる接着剤を塗布した構成とし、これを単体として販売すれば、任意の衣類に自分で接着させ、食い込み防止した下着あるいは水着を自分で作成することができる。
【符号の説明】
【００１７】１    衣類本体
２    陰部接触部
３    股部
４    食い込み防止片
【図１】
0003207625.tif 000003
【図２】
0003207625.tif 000004
【図３】
0003207625.tif 000005
(57)【要約】      （修正有）【課題】身体の大きさによる座高寸法の大小に合わせて、長さ調節が可能な身体装着型腰椎負荷軽減装置を提供する。【解決手段】中空洞の支柱上部を切断２分割し、上部に雄ねじ、下部に雌ネジを加工して、伸縮可能な形態とする。【選択図】図２
0003207623.tif 000002
【実用新案登録請求の範囲】
【請求項１】
支柱上部に、支柱長さを調節する為の螺旋を設け、手動で体型に合わせ長さ調節を行う。
【考案の詳細な説明】
【技術分野】
【０００１】
腰椎椎間板ヘルニアによる、歩行不全  腰痛などの症状を改善する、身体の機      能補助具としての身体に装着する、腰椎負荷軽減装具に関するもの。
【背景技術】
【０００２】
松葉杖
【先行技術文献】
【特許文献】
【０００３】
登録第３１８９９３８
【０００４】
実願２０１６−００２８８７
【０００５】
特願２０００−２８７７５７
【考案の概要】
【考案が解決しようとする課題】
【０００６】
身体の大きさによる、座高寸法の大小に合わせる為の、調節機能の充実。
【課題を解決するための手段】
【０００７】
従来品の支柱は、単一パイプであったが、中空洞を利用し、螺旋ネジを組み込み、長さ調節可能な構造とする。
【考案の効果】
【０００８】
従来品は、利用者ごとに加工が必要であったが、本改良の結果汎用品として
の条件が整った。
【図面の簡単な説明】
【０００９】
【図１】伸縮調整支柱分解図
【図２】伸縮調整支柱組立図
【考案を実施するための形態】
【００１０】
支柱上部を切断２分割し、上部に雄ねじ、下部に雌ネジを加工して、伸縮可能な形態とする。
【００１１】
伸縮可能長さは、約５ｃｍとする。
【実施例１】
【００１２】
本考案者は、歩行不全に陥り、MRI検査の結果、腰椎椎間板ヘルニアの切除手術を宣告されたが、取り敢えず、通院牽引治療を受けながら、自宅で牽引出来
ないか検討しているうちに、身体装着、歩行中も牽引状態が可能な装具が出来な
いか、試作試行を繰り返し、往復７０分の通勤時に着用試行しながら、約６ヶ月
で、症状が改善され、装具なしでも日常生活が可能な状態になった。
【実施例２】
【００１３】
症状改善後も、長距離のウオーキングや、旅行、重量物の運搬時には、予防的に本装具を着用している。
【産業上の利用可能性】
【００１４】
歩行不全、腰痛等に悩んでいる人が多数いる現実があり、症状改善に腰椎牽引が有効な対象者は、日常生活の中での症状改善が可能となる。
【符号の説明】
【００１５】
a  腋受け具嵌合部
b  支柱上部雄ねじ部
c  支柱下部雌ネジ部
d  支柱受け具嵌合部
【図１】
0003207623.tif 000003
【図２】
0003207623.tif 000004
【手続補正書】
【提出日】平成28年9月15日(2016.9.15)
【手続補正１】
【補正対象書類名】実用新案登録請求の範囲
【補正対象項目名】全文
【補正方法】変更
【補正の内容】
【実用新案登録請求の範囲】
【請求項１】
支柱上部に、支柱長さを調節する為の螺旋を設け、手動で体型に合わせ長さ調節を行う構造とした身体装着型腰椎負荷軽減装具。
【手続補正２】
【補正対象書類名】明細書
【補正対象項目名】０００９
【補正方法】変更
【補正の内容】
【０００９】
図１は伸縮調整支柱正面組立図
図２は伸縮調整支柱側面分解図
【手続補正３】
【補正対象書類名】図面
【補正対象項目名】全図
【補正方法】変更
【補正の内容】
【図１】
0003207623.tif 000005
【図２】
0003207623.tif 000006
(57)【要約】      （修正有）【課題】旅客機や夜行バス等の座席において、毛布がずれ落ちてくるのを防止することができる座席を提供する。【解決手段】座席１００の背もたれ１０１に毛布を留めるための留め具Ａ１、Ａ２を少なくとも２つ設けた。座席１００の背もたれ１０１に設けられた留め具Ａ１、Ａ２の長手方向は、毛布にも設けられた少なくとも２つの留め具の長手方向と直交している。【選択図】図１
0003207621.tif 000002
【実用新案登録請求の範囲】
【請求項１】
座席の背もたれに毛布を留めるための留め具が少なくとも２つ設けられたことを特徴とする座席。
【請求項２】
前記毛布に設けられた少なくとも２つの留め具の幅は、前記座席に設けられた少なくとも２つの留め具の幅より広いことを特徴とする請求項１に記載の座席。
【請求項３】
前記座席の背もたれに設けられた少なくとも２つの留め具の長手方向は、前記毛布に設けられた少なくとも２つの留め具の長手方向と直交していることを特徴とする請求項１または請求項２に記載の座席。
【請求項４】
座席の背もたれに毛布を留めるためのマジックテープが少なくとも２つ設けられたことを特徴とする座席。
【請求項５】
旅客機または夜行バスに用いられる座席の背もたれに毛布を留めるためのマジックテープが少なくとも２つ設けられたことを特徴とする座席。
【考案の詳細な説明】
【技術分野】
【０００１】本考案は、毛布を留めるための留め具が設けられた座席に関する。
【背景技術】
【０００２】通常、国際線の旅客機や夜行バスでは、毛布が配られる。【０００３】しかしながら、ファーストクラスやビジネスクラスの座席とは異なり、エコノミークラスの座席や夜行バスの座席はリクライニングが十分ではなく、毛布を乗客の肩までかけると、毛布がずれ落ちてくるという問題があった（特許文献１参照）。
【先行技術文献】
【特許文献】
【０００４】
【特許文献１】  特表２０１５−５０１７５９公報
【考案の概要】
【考案が解決しようとする課題】
【０００５】本考案は、以上のような問題に鑑み、旅客機や夜行バス等において、毛布を留めるための留め具を備えた座席を提供することを目的とする。
【課題を解決するための手段】
【０００６】上記目的を達成するために、本考案は、座席の背もたれに毛布を留めるための留め具が少なくとも２つ設けられたことを特徴とする。【０００７】また、上記目的を達成するために、本考案の前記留め具はマジックテープであることを特徴とする。【０００８】また、上記目的を達成するために、本考案の前記座席は旅客機または夜行バスに用いられる座席であることを特徴とする。【０００９】また、上記目的を達成するために、本考案の前記毛布に設けられた少なくとも２つの留め具の幅は、前記座席に設けられた少なくとも２つの留め具の幅より広いことを特徴とする。【００１０】また、上記目的を達成するために、本考案の前記座席の背もたれに設けられた少なくとも２つの留め具の長手方向は、前記毛布に設けられた少なくとも２つの留め具の長手方向と直交していることを特徴とする。
【考案の効果】
【００１１】座席の背もたれに毛布を留めるための留め具が少なくとも２つ設けられたことを特徴としているので、毛布がずれ落ちてくるのを防止することができる。
【図面の簡単な説明】
【００１２】
【図１】本考案を実施するための座席の図である。
【図２】本考案を実施するための毛布の図である。
【考案を実施するための形態】
【００１３】以下、本考案の実施の形態を図１および図２に基づいて説明する。
【実施例】
【００１４】図１は、本考案の実施例の図であって、毛布を留めるための留め具を備えた座席１００を示している。具体的には、ヘッドレスト１０３を含む座席の背もたれ１０１に、少なくとも２つの留め具Ａ１およびＡ２が備えられている。なお、１０２はひじ置き、１０４は座板である。【００１５】図２は、本考案の実施例の図であって、端部に留め具Ｂ１およびＢ２が設けられた毛布２００を示している。【００１６】留め具Ａ１、Ａ２および留め具Ｂ１、Ｂ２としてはマジックテープを用いればよい。【００１７】留め具Ａ１、Ｂ１および留め具Ａ２、Ｂ２をそれぞれ貼り合わせることにより、毛布２００がずれ落ちてくることを防ぐことができる。【００１８】留め具Ａ１およびＡ２の幅としては、人の肩幅程度にすれば窮屈感を感じることがない。また、留め具Ｂ１およびＢ２の長手方向を、留め具Ａ１およびＡ２の長手方向と直交するように設ければ、使用者の所望の幅に合わせて毛布をかけることができる。【００１９】また、毛布２００の留め具Ｂ１およびＢ２の幅は、背もたれ１０１の留め具Ａ１およびＡ２の幅より広くなるように設ければよい。【００２０】なお、留め具Ａ１およびＡ２は、背もたれ１０１の側面に設けてもよいし、ヘッドレスト１０３の位置に設けてもよいことは言うまでもない。
【産業上の利用可能性】
【００２１】本考案は、旅客機や夜行バス等の座席および毛布を製造する産業で利用される。
【符号の説明】
【００２２】１００  座席
１０１  背もたれ
１０２  ひじ置き
１０３  ヘッドレスト
１０４  座板
２００  毛布
Ａ１  留め具
Ａ２  留め具
Ｂ１  留め具
Ｂ２  留め具
【図１】
0003207621.tif 000003
【図２】
0003207621.tif 000004
【手続補正書】
【提出日】平成28年9月3日(2016.9.3)
【手続補正１】
【補正対象書類名】実用新案登録請求の範囲
【補正対象項目名】全文
【補正方法】変更
【補正の内容】
【実用新案登録請求の範囲】
【請求項１】
座席の背もたれに毛布を留めるための留め具が少なくとも２つ設けられたことを特徴とする座席。
【請求項２】
前記毛布に設けられた少なくとも２つの留め具の幅は、前記座席に設けられた少なくとも２つの留め具の幅より広いことを特徴とする請求項１に記載の座席。
【請求項３】
前記座席の背もたれに設けられた少なくとも２つの留め具の長手方向は、前記毛布に設けられた少なくとも２つの留め具の長手方向と直交していることを特徴とする請求項１または請求項２に記載の座席。
【請求項４】
座席の背もたれに毛布を留めるための面ファスナーが少なくとも２つ設けられたことを特徴とする座席。
【請求項５】
旅客機または夜行バスに用いられる座席の背もたれに毛布を留めるための面ファスナーが少なくとも２つ設けられたことを特徴とする座席。
(57)【要約】      （修正有）【課題】マッサージ器を人体に載せて使用した時に適度な圧力がかかるマッサージ器を提供する。【解決手段】扁平な長方形のクッション材の内部中央にマッサージ器駆動部３を配置し、その両側に重り４を配置する。【選択図】図２
0003207624.tif 000002
【実用新案登録請求の範囲】
【請求項１】
扁平な長方形のスポンジ等クッション材の内部中央にマッサージ器の駆動部を備え、その両側に重りを配置し、人体に載せて使用した時の効果を高め、かつ使いやすくしたマッサージ器。
【考案の詳細な説明】
【技術分野】
【０００１】  本考案は、マッサージ器に関する。
【背景技術】
【０００２】  従来のマッサージ器では、操作性を重視する為、重量が不足していた。
【考案の開示】
【考案が解決しようとする課題】
【０００３】  しかし、これでは、人体に載せて使用した場合に、圧力が不足し十分な効果が得られなかった。
【課題を解決するための手段】
【０００４】  そこで、重りを両側に内蔵したマッサージ器を考案した（図１）。これにより、人体に載せて使用した場合に、重さにより適度な圧力がかかるため、マッサージ効果が高くなるのである。
【考案の効果】
【０００５】  よって、本考案の重りを内蔵したマッサージ器により、人体に載せて使用した場合に、心地良さとともに筋肉痛等の症状の緩和効果が得られる。また、腹臥位での使用では、頸部から足底まで、背臥位での使用では胸部から下腿部までと、ほぼ全身をカバーすることができる。
【考案を実施するための最良の形態】
【０００６】  本考案に係るマッサージ器１は、図２に示すように、スポンジ等クッション材２の中央にマッサージ器駆動部３を備え、その両側に重り４を配置する。図３に示すように、人体に載せて使用する為、横幅は短いと安定せず、長過ぎると効果が低下するため、４０ｃｍから７０ｃｍ程度が望ましい。また、これに使われるマッサージ器駆動部３の動作は、もみ玉による揉捻式や偏心モーターによる振動式等があり、いずれのタイプでも効果があるが、振動式の方が効果的である。重り４に関しては、人体各部に密着した方が心地よいため、板状ではなく粒状で総重量が５ｋｇから１０ｋｇ程度が望ましい。
【図面の簡単な説明】
【０００７】
【図１】  本考案に係るマッサージ器の縦断面図である。
【図２】  本考案に係るマッサージ器の透視図である。
【図３】  本考案に係るマッサージ器を人体の腰部に載せて使用している図である。
【符号の説明】
【０００８】  １      本考案に係るマッサージ器の全体
２      スポンジ等クッション材
３      マッサージ器駆動部
４      重り
【図１】
0003207624.tif 000003
【図２】
0003207624.tif 000004
【図３】
0003207624.tif 000005
(57)【要約】【課題】  木柄を採用している鍬や斧に対して、木柄の抜け止め機能を備えた楔板に、抜け止め抵抗となる突出部分（突起）を抵抗が大きくなるように形成し、且つ前記形成が容易である楔板を提供する。【解決手段】鍬や斧等の手道具本体の木柄装着孔に木柄先端の差込部を密嵌着し、木柄装着孔と差込部間に圧入する楔板であって、板本体１の先方部分（圧入先端部２）の板厚を徐々に薄く形成すると共に、先方適宜箇所に上方が突出し且つ当該突出箇所（上方峰部３１）から先方に向かって傾斜面３２となる押し出し突起３を設ける。【選択図】図１
0003207676.tif 000002
【実用新案登録請求の範囲】
【請求項１】
手道具本体の木柄装着孔に木柄先端の差込部を密嵌着し、木柄装着孔と差込部間に圧入する楔板であって、先方部分の板厚を徐々に薄く形成すると共に、先方適宜箇所に上方が突出し且つ当該突出箇所から先方に向かって傾斜面となる押し出し突起を設けてなることを特徴とする木柄固定用楔板。
【請求項２】
押し出し突起の上方面が楔板面に対して略直角に起立してなる請求項１記載の木柄固定用楔板。
【考案の詳細な説明】
【技術分野】
【０００１】
本考案は、木柄を備えた手道具に使用する楔板に関するものである。
【背景技術】
【０００２】
鍬や斧等の手道具において木柄を採用する場合には、鍬や斧の本体に設けた木柄装着孔に木柄先端を密嵌合すると共に、密嵌箇所に更に楔板を打ち込み、本体と木柄の一体化を図っている。
【０００３】
この楔板が経年変化により少しずつ抜け出る恐れがあるので、従前より特許文献１，２に示されているように楔板の表面（木柄との対接面）を多段階状の傾斜表面に形成し、傾斜面の段差部分が抜け止め機能を果たす構成のものが知られている。
【先行技術文献】
【特許文献】
【０００４】
【特許文献１】特開平７−３０５７０４号公報。
【特許文献２】登録実用新案３１６５１０２号公報。
【考案の概要】
【考案が解決しようとする課題】
【０００５】
楔板の表面に段差傾斜面を多段に形成したものにおいては、抜け止め抵抗となる段差寸法が小さく、抜け止め効果の点で改善の余地がある。そこで本考案は抜け止め抵抗となる突出部分を容易に且つ大きく形成することができる新規な楔板を提案したものである。
【課題を解決するための手段】
【０００６】
本考案の請求項１記載に係る木柄固定用楔板は、手道具本体の木柄装着孔に木柄先端の差込部を密嵌着し、木柄装着孔と差込部間に圧入する楔板であって、先方部分の板厚を徐々に薄く形成すると共に、先方適宜箇所に上方が突出し且つ当該突出箇所から先方に向かって傾斜面となる押し出し突起を設けてなることを特徴とするものである。
【０００７】
前記楔板の押し出し突起は、楔板の背面側から押し出しで形成されるもので、押し出しの程度によって突起が容易に且つ突出高さを大きく形成できるもので、木柄装着孔と差込部間に圧入すると、突起における傾斜面によって打ち込みが容易になされると共に、打込み後は突起が抜け止め機能を果たすものである。
【０００８】
また本考案の請求項２記載に係る木柄固定用楔板は、特に押し出し突起の上方面が楔板面に対して略直角に起立してなるもので、上方面による抜け止め機能が高められるものである。
【考案の効果】
【０００９】
本考案の構成は上記のとおり楔板の背面からの押し出しで形成された突起によって抜け止め機能を発揮させるもので、製造容易で且つ突起の大きさ（面積・突出高さ等）を容易に設定することができるものである。
【図面の簡単な説明】
【００１０】
【図１】本考案の実施形態の全体斜視図。
【図２】同断面図。
【図３】同使用状態の説明図。
【考案を実施するための形態】
【００１１】
本考案の実施形態につて説明する。図示例の楔板Ａは、使用対象である鍬や斧等の手道具本体の木柄装着孔Ｂに木柄先端の差込部Ｃを密嵌着し、木柄装着孔Ｂと差込部Ｃ間に圧入するもので、その大きさは手道具に対応して定められる。
【００１２】
この楔板Ａは、板本体１の先方部分の板厚を徐々に薄く形成して圧入先端部２を形成すると共に、適宜位置に押し出し突起３を設けたものである。
【００１３】
押し出し突起３は、背面からの押し出し加工で背面に凹部４と同時に形成されるもので、上方峰部（最突出箇所）３１から先方に向かって傾斜面３２とし、且つ上方峰部３１から板本体１の表面に向かう上方面３３を、板本体１の表面に対して略直角に起立する面に形成してなるものである。
【００１４】
而して前記の楔板Ａは従前と同様に使用されるもので、板本体１の上方端１１に打撃を加えて所定箇所に圧入するもので、圧入に際して傾斜面３２を備えている押し出し突起３が障害となることがない。
【００１５】
また圧入後における楔板Ａの抜けに対しては、押し出し突起３の上方峰部３１が抜け方向の抵抗となり抜け止め機能が発揮されるものである。
【００１６】
従って抜け止め機能を備えた楔板を容易に製出することができたものである。
【符号の説明】
【００１７】
１      板本体
１１    上方端
２      圧入先端部
３      押し出し突起
３１    上方峰部
３２    傾斜面
３３    上方面
４      凹部
Ａ      楔板
Ｂ      木柄装着孔
Ｃ      差込部
【図１】
0003207676.tif 000003
【図２】
0003207676.tif 000004
【図３】
0003207676.tif 000005
(57)【要約】      （修正有） 【課題】ボトル入り錠剤を服用する時、ボトルから直接手のひらに受けた錠剤を数の調整のためにふたたびボトルに戻すという不衛生さを解決する錠剤の取り出し具を提供する。【解決手段】先端が丸みを帯びた尖がりがあり、深めの窪みを持った掬い部２と、柔軟な弾力性のあるゴム製で、一方は開口しており、もう一方は十文字に切れ込み１２が入った差し込み孔６を有する筒状カバー５とを備え、筒状カバーの開口のふちには引っ張りつまみ８がついている。取り出し具本体の柄部３に筒状カバー５を取り付けることで簡単に必要な数の錠剤を衛生的にボトルから取り出せる。【選択図】図２
0003207531.tif 000002
【実用新案登録請求の範囲】
【請求項１】
ボトル入り錠剤の取り出し具であって、取り出し具本体と、この取り出し具本体の柄部を通すことによりこの柄部に取り付けられている筒状カバーとを備え、取り出し具本体の柄部には先端に掬い部が設けられ、他端に抜け止部が設けられ、筒状カバーは一端は開口し、他端の底部に十文字の切れ込みにより差し込み孔が形成されていて、筒状カバーの開口より差し込み孔に取り出し具本体の柄部を差し込むことにより移動可能に取り付けられていて、底部が掬い部に当たるまで筒状カバーを移動させると掬い部が筒状カバーに収納され、筒状カバーを抜け止め部に当たるまで移動させると、掬い部が露出するように構成されているボトル入り錠剤の取り出し具。
【請求項２】
前記筒状カバーの開口には、掬い部側にこの筒状カバーを移動させることを容易にするための引っ張りつまみが取り付けられている請求項１のボトル入り錠剤の取り出し具。
【考案の詳細な説明】
【技術分野】
【０００１】
本考案は、先端が丸みを帯びた尖がりがあり、深めの窪みをもった掬い部と、柔軟な弾力性のあるゴム製で一方は開口しており、もう一方は十字に切れ込みが入った筒状カバーからなるボトル入り錠剤の取り出し具に関する。
【背景技術】
【０００２】
どの家庭でも常備薬としてボトル入り錠剤がある。私たちがこれらを利用する場合、ボトルから直接錠剤を手のひらに受け、多すぎるとボトルに戻す。これはとても不衛生である。
【考案の概要】
【考案が解決しようとする課題】
【０００３】
通常私たちが、ボトルに入った錠剤を服用する時、ボトルから直接錠剤を手のひらに受け、多すぎるとボトルに戻し、戻し過ぎると、また取り出すが、これは衛生面で良くない。このような問題を解決するボトル入り錠剤の取り出し具である。
【課題を解決するための手段】
【０００４】
この問題を解決するためのボトル入り錠剤の取り出し具は、先端が丸みを帯びた尖がりがあり、深めの窪みをもった掬い部と、柔軟な弾力性のあるゴム製で一方は開口しており、もう一方は十字に切れ込みが入った筒状カバーとでなることを特徴とするボトル入り錠剤の取り出し具である。
【０００５】
あるいは、ボトル入り錠剤の取り出し具１であって、取り出し具本体と、この取り出し本体と柄部を通すことによりこの柄部に取り付けられている筒状カバーを設え、取り出し具本体の柄部には先端に掬い部が設けられ、他端に抜け止部が設けられ、筒状カバーは一端は開口し、他端の底部に十文字の切れ込みに差し込み孔が形成されていて、筒状カバーより差し込み孔に取り出し具本体の柄部を差し込むことにより移動可能に取り付けられていて、底部が掬い部に当たるまで筒状カバーを移動させると掬い部が筒状カバーに収納され、筒状カバーを抜け止め部に当たるまで移動させると、掬い部が露出するように構成されているボトル入り錠剤の取り出し具である。
【考案の効果】
【０００６】
ボトル入り錠剤の取り出し具を使用するときは、ボトル入り錠剤の取り出し具の筒状カバーの中央辺りを軽く親指と人差し指で挟み、掬い部の反対側方向へスライドさせ抜け止め部まで引き上げて掬い部を出す。使用後はボトル入り錠剤の取り出し具の筒状カバーの開口部のふちについている引っぱりつまみを軽く親指と人差し指で挟み、掬い部方向へ引き下げ、掬い部を筒状カバーの中へ収納する。この状態であれば、どこにおいても衛生的である。また、この掬い具は好みの大きさに交換できる。
【図面の簡単な説明】
【０００７】
【図１】ボトル入り錠剤の取り出し具を正面から見た図
【図２】ボトル入り錠剤の取り出し具の取り出し具を側面から見た図
【図３】ボトル入り錠剤の取り出し具の取り出し具を分解した図
【図４】ボトル入り錠剤の取り出し具を実際に筒状カバーを引き上げている図
【図５】ボトル入り錠剤の取り出し具を実際に筒状カバーを引き下げている図
【図６】ボトル入り錠剤の取り出し具を実際に使用している図
【図７】ボトル入り錠剤の取り出し具を実際に収納している図
【考案を実施するための形態】
【０００８】
本考案は、ボトル入り錠剤１０を衛生的に、必要な数だけを簡単に取り出すものである。そのため、掬い部２に丸みを帯び尖った先端で、深い窪みのある匙型になっている。この掬い部2を収納する筒状カバー５は、柔軟で弾力性のあるゴム製筒状カバー５で、一方が開口７され、もう一方は座部に十字の切れ込みの入った差し込み孔６になっており、取り出し具本体１１の抜け止め部４をこの筒状カバー５の先端開口部７側から差し込み孔６を通過させることで筒状カバー５を取り出し具本体１１の柄部３に取り付ける。
【０００９】
ボトル入り錠剤の取り出し具１は、不使用時は、掬い部2が筒状カバー５に収納され、常に衛生的な状態でボトル９の錠剤１０を取り出すことができる。また、使用時は筒状カバー５がすっぽり抜けないように、掬い部2の反対側は、少し幅広の抜け止め部４になっている。
また、ボトル入り錠剤１０の取り出し具１の筒状カバー５には、筒状カバー５を下ろしやすいように先端開口部７のふちに引っ張りつまみ８がある。
【符号の説明】
【００１０】
１  ボトル入り錠剤の取り出し具
２  掬い部
３  柄部
４  抜け止め部
５  筒状カバー
６  差し込み孔
７  先端開口部
８  引っ張りつまみ
９  錠剤の入ったボトル
１０錠剤
１１  取り出し具本体
１２  十文字状の切れ込み
【図１】
0003207531.tif 000003
【図２】
0003207531.tif 000004
【図３】
0003207531.tif 000005
【図４】
0003207531.tif 000006
【図５】
0003207531.tif 000007
【図６】
0003207531.tif 000008
【図７】
0003207531.tif 000009